(57)【要約】【課題】本発明は、携帯電話や携帯端末をはじめとした電子機器に差し込むＩＣタグなどの無線通信媒体と、外部のカードリーダーなどの読み書き部との通信を行う場合に、無線通信媒体が電子機器に挿入された場合であっても、外部の読み書き部と無線通信媒体との通信距離を拡大することのできる挿入型無線通信媒体装置および電子機器を提供することを目的とする。【解決手段】本発明は、無線通信媒体３と、無線通信媒体３の周囲に設けられた開口部を有する導体から形成されたループアンテナを有する構成により、外部の読み書き部と無線通信媒体３との中継となって通信距離を拡大することができるようになる。【選択図】図１
2005284511.tif 000002
【特許請求の範囲】
【請求項１】
無線通信媒体と、
前記無線通信媒体の周囲に設けられた開口部を有する導体から形成されたループアンテナを有することを特徴とする挿入型無線通信媒体装置。
【請求項２】
前記無線通信媒体が内部にＩＣを有するものであることを特徴とする請求項１に記載の挿入型無線通信媒体装置。
【請求項３】
前記無線通信媒体が内部にＩＣとメモリを有するものであることを特徴とする請求項１に記載の挿入型無線通信媒体装置。
【請求項４】
前記無線通信媒体が、内部にＩＣと、メモリと、アンテナを有するものであることを特徴とする請求項１に記載の挿入型無線通信媒体装置。
【請求項５】
前記無線通信媒体がＩＣタグであることを特徴とする請求項１〜４いずれか１記載の挿入型無線通信媒体装置。
【請求項６】
前記無線通信媒体がＩＣカードであることを特徴とする請求項１〜４いずれか１記載の挿入型無線通信媒体装置。
【請求項７】
前記無線通信媒体と、前記ループアンテナが格納ケースに格納されていることを特徴とする請求項１〜６いずれか１記載の挿入型無線通信媒体装置。
【請求項８】
前記格納ケースが薄型ケースであることを特徴とする請求項７に記載の挿入型無線通信媒体装置。
【請求項９】
前記無線通信媒体の底面に支持部材もしくは補強部材の少なくとも一方が設けられたことを特徴とする請求項１〜８いずれか１記載の挿入型無線通信媒体装置。
【請求項１０】
前記ループアンテナが有する開口部が、前記無線通信媒体の主面よりも大きいことを特徴とする請求項１〜９いずれか１記載の挿入型無線通信媒体装置。
【請求項１１】
前記ループアンテナが有する開口部が、前記無線通信媒体の主面と略平行であることを特徴とする請求項１〜１０いずれか１記載の挿入型無線通信媒体装置。
【請求項１２】
前記ループアンテナに共振回路、もしくは整合回路、もしくは終端抵抗のいずれか、あるいはこれらの２つ、あるいはすべてが接続されていることを特徴とする請求項１〜１１いずれか１記載の挿入型無線通信媒体装置。
【請求項１３】
前記ループアンテナが、信号電流を非給電とした無給電ループアンテナであることを特徴とする請求項１〜１２いずれか１記載の挿入型無線通信媒体装置。
【請求項１４】
前記無線通信媒体は、磁界が与えられることで誘導起電力が発生し、データ通信が行われることを特徴とする請求項１〜８いずれか１記載の挿入型無線通信媒体装置。
【請求項１５】
前記無線通信媒体の底面、もしくはこれと対向する面のいずれか一方に、磁性部材が設けられたことを特徴とする請求項１〜１４いずれか１記載の挿入型無線通信媒体装置。
【請求項１６】
前記格納ケースの底面、もしくはこれと対向する面のいずれか一方に、磁性部材が設けら
れたことを特徴とする請求項１〜１４いずれか１記載の挿入型無線通信媒体装置。
【請求項１７】
前記磁性部材の外側であって、前記無線通信媒体と反対側に、金属部材が設けられたことを特徴とする請求項１５乃至１６のいずれかに記載の挿入型無線通信媒体装置。
【請求項１８】
前記磁性部材が、磁性体シート、もしくは磁性体板、もしくは磁性体膜のいずれかであることを特徴とする請求項１５乃至１６のいずれかに記載の挿入型無線通信媒体装置。
【請求項１９】
前記金属部材が、金属シート、もしくは金属板、もしくは金属膜、もしくは金属めっきのいずれかであることを特徴とする請求項１７に記載の挿入型無線通信媒体装置。
【請求項２０】
請求項１〜１９いずれか１記載の挿入型無線通信媒体装置を挿入可能な挿入部と、
前記挿入部を有し、前記挿入型無線通信媒体装置を格納可能な筐体と、
前記筐体内部であって、前記挿入部の周囲に設けられた開口部を有する導体で形成されたループアンテナを有することを特徴とする電子機器。
【請求項２１】
無線通信媒体を挿入することが可能な挿入部と、
前記挿入される無線通信媒体の周囲を囲むように形成された開口部を有する導体から形成されたループアンテナと、
前記挿入部と前記ループアンテナが形成された筐体を有することを特徴とする電子機器。
【請求項２２】
無線通信媒体を挿入可能な挿入部を有する筐体と、
前記筐体内部であって、前記挿入された無線通信媒体の周囲を囲む開口部を有する導体から形成されたループアンテナを有することを特徴とする電子機器。
【請求項２３】
ＩＣおよびメモリおよびこれらの制御回路を有する無線通信媒体を挿入可能な挿入部を有する筐体と、
前記筐体内部であって、前記挿入された無線通信媒体の周囲を囲む開口部を有する導体から形成されたループアンテナを有することを特徴とする電子機器。
【請求項２４】
前記開口部が、前記無線通信媒体の主面よりも面積が広いことを特徴とする請求項２２乃至２３のいずれかに記載の電子機器。
【請求項２５】
前記開口部が形成する面が、前記無線通信媒体の主面と略平行であることを特徴とする請求項２２〜２４いずれか１記載の電子機器。
【請求項２６】
前記ループアンテナが、信号電流を非給電とした無給電ループアンテナであることを特徴とする請求項２２〜２５いずれか１記載の電子機器。
【請求項２７】
前記ループアンテナに共振回路、もしくは整合回路、もしくは終端抵抗のいずれか、あるいはこれらの２つ、あるいはすべてが接続されていることを特徴とする請求項２２〜２６いずれか１記載の電子機器。
【請求項２８】
前記挿入部が、前記筐体の側面に設けられることを特徴とする請求項２１〜２７いずれか１記載の電子機器。
【請求項２９】
前記電子機器が携帯端末であることを特徴とする請求項２１〜２８いずれか１記載の電子機器。
【請求項３０】
前記電子機器がノートブックパソコンであることを特徴とする請求項２１〜２８いずれか
１記載の電子機器。
【請求項３１】
請求項１〜１９いずれか１記載の挿入型無線通信媒体装置を挿入可能な挿入部と、
前記挿入部を有し、前記挿入型無線通信媒体装置を格納可能な筐体と、
前記筐体に設けられた表示部と入力装置を有するマンマシンインターフェースと、
前記筐体内部に設けられた送受信処理部と、
前記筐体内部に設けられ、前記送受信処理部を制御する制御部を有することを特徴とする携帯端末。
【請求項３２】
無線通信媒体を挿入可能な挿入部と、
前記挿入される無線通信媒体の周囲を囲む開口部を有する導体で形成されたループアンテナと、
前記挿入部と、前記ループアンテナを有する筐体と、
前記筐体に設けられた表示部と入力装置を有するマンマシンインターフェースと、
前記筐体内部に設けられた送受信処理部と、
前記筐体内部に設けられ、前記送受信処理部を制御する制御部を有することを特徴とする携帯端末。
【発明の詳細な説明】
【技術分野】
【０００１】
本発明は、携帯電話や携帯端末をはじめとした電子機器に差し込むＩＣタグなどの無線通信媒体と、外部のカードリーダーなどの読み書き部との通信を行う場合に、無線通信媒体が電子機器に挿入された場合であっても、電子機器内の金属面の影響を低減して、外部の読み書き部と無線通信媒体との通信を可能とし、その通信距離を拡大する挿入型無線通信媒体装置および電子機器を提供することを目的とする。
【背景技術】
【０００２】
認証や荷物の行き先振り分けなどのために、ＩＣカードやＩＣタグなどのＩＤコードをもった無線通信媒体と、この無線通信媒体のＩＤコード認証を行うための無線通信媒体処理装置が用いられることが多くなっている。通信搭載媒体が通信搭載媒体処理装置の通信範囲に存在すると、アンテナからの磁界により無線通信媒体が有するアンテナに誘起電圧が発生しこの電圧が整流され電力と送信データが供給される。電力が供給された無線通信媒体では搭載されたメモリ内から読み出されたデータに応じて、例えばアンテナに接続された負荷抵抗とスイッチとからなる変調回路にて、データの１、０に応じて、スイッチがオン、オフされる。このオン、オフにより、無線通信媒体の有するアンテナに対する負荷変動が生じ、この負荷変動が信号として通信媒体処理装置側のアンテナへ伝達される。伝達された信号は復調され、そのＩＤコード認証が実行される（例えば特許文献１参照）。
【０００３】
ここで、例えば携帯電話などの携帯端末やその他の電子機器において、ＩＣタグやＩＣカードを挿入して、例えば携帯端末とその外部の非接触リーダーなどの読み書き部との通信を行わせて、携帯端末そのもので、例えばＩＤ認証をさせるなどが提案されている。例としては、携帯電話にあらかじめ無線通信媒体を挿入しておいて、入出管理を行ったり、駅の改札などでの処理を行ったりするなどである。
【０００４】
あるいは、無線通信媒体以外の専用の電子認証カードなどを電子機器に挿入して、この電子機器に挿入されている電子認証カードを読み出すことなども提案されている（例えば特許文献２参照）。
【特許文献１】特開２０００−１６３５２３号公報
【特許文献２】特開２００３−１４３３２６号公報
【発明の開示】
【発明が解決しようとする課題】
【０００５】
しかしながら、専用の電子認証カードではなく、ＩＣタグやＩＣカードなどの汎用の無線通信媒体を携帯端末などの電子機器に挿入した場合には、電子機器の筐体に格納されてしまうため、どうしてもこれらの影響を受けて、外部の非接触リーダーなどの読み書き部との通信距離が不十分であるという問題があった。
【０００６】
以上のことから、無線通信媒体を、携帯端末などの電子機器に格納して、外部の読み書き部と通信するさまざまなアプリケーションや処理システムを実現することは困難であるという問題があった。
【０００７】
本発明は、上記の課題に鑑み、電子機器に挿入できる無線通信媒体を、携帯端末などの電子機器に挿入した場合であっても、電子機器や筐体の影響を無くし、十分な通信距離をもって通信できる挿入型無線通信媒体装置および電子機器を実現するものである。
【課題を解決するための手段】
【０００８】
本発明は、無線通信媒体と、無線通信媒体の周囲に設けられた開口部を有する導体から形成されたループアンテナを有する構成とする。
【発明の効果】
【０００９】
本発明の構成により、ＩＤコードなどを有した無線通信媒体を携帯端末などの電子機器に挿入した場合に、無線通信媒体を囲むループアンテナが中継となることにより、挿入された電子機器や筐体の影響を低減して、外部の非接触リーダーなどの読み書き部と、無線通信媒体との通信距離を拡大することが可能となる。
【００１０】
特に、ループアンテナを無線通信媒体の周囲に設けることで、外部の非接触リーダーなどの読み書き部に設けられたループアンテナと、このループアンテナが相互誘導により結合し、このループアンテナが仲介となって、更にこのループアンテナ周辺に強い磁界を生じ、無線通信媒体のアンテナへ強い磁界を与えることが可能となる。同様に、逆方向、即ち、内部の無線通信媒体のアンテナの負荷の変動を更に強くして外部の読み書き部との通信距離を容易に伸ばすことが可能となる。
【００１１】
また、ループアンテナは無給電であるので、余分な消費電力の原因とならず、電子機器への影響も無いものである。また、ループアンテナは、印刷パターンなどで形成することが可能であるので、電子機器を大型化させることはほとんど無いものである。
【００１２】
また、無線通信媒体をケースに格納することで、無線通信媒体の持ち運びを容易とし、更に耐久性や耐候性を向上させて、簡単に所望の無線通信媒体を電子機器に挿入することが可能となる。特に、使用を欲する無線通信媒体を変えたい場合などには特に有効である。
【００１３】
このとき、通信距離を拡大する中継となるループアンテナをあらかじめ無線通信媒体とともに格納ケースに格納しておくことで、通信距離を拡大することのできる挿入型無線通信媒体装置を、容易に持ち運び可能とすることができ、無線通信媒体の形状や大きさ、種類に合わせたループアンテナをあらかじめ形成しておくことで、通信距離の拡大を最適化することができる。
【００１４】
更に、無線通信媒体、あるいはこれを格納するケースを薄型の物とすることで、携帯端末をはじめとする電子機器において、側面からの挿入などを可能とし、電子機器の小型化を阻害せず、挿入することが容易となる。
【００１５】
また、無線通信媒体が格納されるケースが、薄型ケースであることで、携帯電話などの薄型が要求される電子機器や、薄型ノートブックパソコンなどに容易に挿入でき、挿入された挿入型無線通信媒体装置に組み込まれた無線通信媒体と、外部の読み書き部との通信を行うことができるようになる。
【００１６】
また、ループアンテナはあらかじめ電子機器などの、挿入型無線通信媒体が挿入される挿入部の周囲に形成されておくことで、ループアンテナを別途用意することなく、挿入型無線通信媒体装置を挿入するだけで、ループアンテナの効果を用いた通信距離の拡大を実現することができる。また、挿入型無線通信媒体装置を、例えば規格化されたＩＣカードやＩＣタグなどの大きさや形状を変えることなく使用することができる効果がある。
【００１７】
以上の効果より、携帯端末などの電子機器の大きさを大型化させるなどの問題を生じさせず、電子機器に無線通信媒体を挿入した場合であっても、電子機器や狂態の影響を無くし、外部の読み書き部との通信を可能とし、更に拡大された通信距離を確保することができる。
【００１８】
これらにより、例えば、携帯端末を使った入出管理や入場管理、入場チケット代わりなどを行うことができ、種々のシステム、アプリケーション、ビジネスに適用することが可能となる。
【発明を実施するための最良の形態】
【００１９】
本発明の請求項１に記載の発明は、無線通信媒体と、無線通信媒体の周囲に設けられた開口部を有する導体から形成されたループアンテナを有することを特徴とする挿入型無線通信媒体装置であって、電子機器内部に挿入された無線通信媒体と外部の非接触リーダーなどの読み書き部との通信距離を拡大することができる。
【００２０】
本発明の請求項２に記載の発明は、無線通信媒体が内部にＩＣを有するものであることを特徴とする請求項１に記載の挿入型無線通信媒体装置であって、ノンアクティブ型の無線通信媒体を実現できるものである。
【００２１】
本発明の請求項３に記載の発明は、無線通信媒体が内部にＩＣとメモリを有するものであることを特徴とする請求項１に記載の挿入型無線通信媒体装置であって、ＩＤコードなどの複雑なデータを記憶させておくことができるものである。
【００２２】
本発明の請求項４に記載の発明は、無線通信媒体が、内部にＩＣと、メモリと、アンテナを有するものであることを特徴とする請求項１に記載の挿入型無線通信媒体装置であって、ＩＤコードなどを有したノンアクティブ型の無線通信媒体を実現できるものである。
【００２３】
本発明の請求項５に記載の発明は、無線通信媒体がＩＣタグであることを特徴とする請求項１〜４いずれか１記載の挿入型無線通信媒体装置であって、流通量の多い低価格の無線通信媒体を用いて挿入型無線通信媒体装置を構成することができる。
【００２４】
本発明の請求項６に記載の発明は、無線通信媒体がＩＣカードであることを特徴とする請求項１〜４いずれか１記載の挿入型無線通信媒体装置であって、流通量の多い低価格の無線通信媒体を用いて挿入型無線通信媒体装置を構成することができる。
【００２５】
本発明の請求項７に記載の発明は、無線通信媒体と、ループアンテナが格納ケースに格納されていることを特徴とする請求項１〜６いずれか１記載の挿入型無線通信媒体装置であって、耐久性や持ち運び性に優れた挿入型無線通信媒体装置とすることができる。
【００２６】
本発明の請求項８に記載の発明は、格納ケースが薄型ケースであることを特徴とする請求項７に記載の挿入型無線通信媒体装置であって、電子機器の側面から挿入したり、電子機器の小型化を阻害したりしないメリットがある。
【００２７】
本発明の請求項９に記載の発明は、無線通信媒体の底面に支持部材もしくは補強部材の少なくとも一方が設けられたことを特徴とする請求項１〜８いずれか１記載の挿入型無線通信媒体装置であって、耐久性や強度に優れたものとすることができる。
【００２８】
本発明の請求項１０に記載の発明は、ループアンテナが有する開口部が、無線通信媒体の主面よりも大きいことを特徴とする請求項１〜９いずれか１記載の挿入型無線通信媒体装置であって、通信距離の拡大をより効率的に行うことができる。
【００２９】
本発明の請求項１１に記載の発明は、ループアンテナが有する開口部が、無線通信媒体の主面と略平行であることを特徴とする請求項１〜１０いずれか１記載の挿入型無線通信媒体装置であって、通信距離の拡大をより効率的に行うことができる。
【００３０】
本発明の請求項１２に記載の発明は、ループアンテナに共振回路、もしくは整合回路、もしくは終端抵抗のいずれか、あるいはこれらの２つ、あるいはすべてが接続されていることを特徴とする請求項１〜１１いずれか１記載の挿入型無線通信媒体装置であって、所望の周波数に共振、所望のアンテナ及び回路インピーダンスに整合、あるは所望の負荷インピーダンスに整合することにより、無線通信媒体と読み書き部との通信における通信性能を向上させることができる。
【００３１】
本発明の請求項１３に記載の発明は、ループアンテナが、信号電流を非給電とした無給電ループアンテナであることを特徴とする請求項１〜１２いずれか１記載の挿入型無線通信媒体装置であって、消費電力を削減することができる。
【００３２】
本発明の請求項１４に記載の発明は、無線通信媒体は、磁界が与えられることで誘導起電力が発生し、データ通信が行われることを特徴とする請求項１〜８いずれか１記載の挿入型無線通信媒体装置であって、ノンアクティブ方式の無線通信媒体とすることができる。
【００３３】
本発明の請求項１５に記載の発明は、無線通信媒体の底面、もしくはこれと対向する面のいずれか一方に、磁性部材が設けられたことを特徴とする請求項１〜１４いずれか１記載の挿入型無線通信媒体装置であって、磁界の閉回路を形成して電子機器の金属面などの影響を回避して外部の読み書き部との通信を行うことができるようになる。
【００３４】
本発明の請求項１６に記載の発明は、格納ケースの底面、もしくはこれと対向する面のいずれか一方に、磁性部材が設けられたことを特徴とする請求項１〜１４いずれか１記載の挿入型無線通信媒体装置であって、磁界の閉回路を形成して電子機器の金属面などの影響を回避して外部の読み書き部との通信を行うことができるようになる。
【００３５】
本発明の請求項１７に記載の発明は、磁性部材の外側であって、無線通信媒体と反対側に、金属部材が設けられたことを特徴とする請求項１５乃至１６のいずれかに記載の挿入型無線通信媒体装置であって、無線通信媒体が電子機器の外にある場合と、電子機器の内部に挿入された場合のいずれにおいても無線通信媒体が有するアンテナへのインピーダンス変化や周波数ズレの影響を大幅に低減する事により、挿入された無線通信媒体と外部の読み書き部との通信距離を更に拡大することが可能となる。
【００３６】
本発明の請求項１８に記載の発明は、磁性部材が、磁性体シート、もしくは磁性体板、もしくは磁性体膜のいずれかであることを特徴とする請求項１５乃至１６のいずれかに記載の挿入型無線通信媒体装置であって、容易に磁性部材を形成することが可能となる。
【００３７】
本発明の請求項１９に記載の発明は、金属部材が、金属シート、もしくは金属板、もしくは金属膜、もしくは金属めっきのいずれかであることを特徴とする請求項１７に記載の挿入型無線通信媒体装置であって、容易に金属部材を形成することが可能となる。
【００３８】
本発明の請求項２０に記載の発明は、請求項１〜１９いずれか１記載の挿入型無線通信媒体装置を挿入可能な挿入部と、挿入部を有し、挿入型無線通信媒体装置を格納可能な筐体と、筐体内部であって、挿入部の周囲に設けられた開口部を有する導体で形成されたループアンテナを有することを特徴とする電子機器であって、電子機器内部に挿入された無線通信媒体と外部の非接触リーダーなどの読み書き部との通信距離を拡大することができる。
【００３９】
本発明の請求項２１に記載の発明は、無線通信媒体を挿入することが可能な挿入部と、
挿入される無線通信媒体の周囲を囲むように形成された開口部を有する導体から形成されたループアンテナと、挿入部とループアンテナが形成された筐体を有することを特徴とする電子機器であって、電子機器内部に挿入された無線通信媒体と外部の非接触リーダーなどの読み書き部との通信距離を拡大することができる。
【００４０】
本発明の請求項２２に記載の発明は、無線通信媒体を挿入可能な挿入部を有する筐体と、筐体内部であって、挿入された無線通信媒体の周囲を囲む開口部を有する導体から形成されたループアンテナを有することを特徴とする電子機器であって、電子機器内部に挿入された無線通信媒体と外部の非接触リーダーなどの読み書き部との通信距離を拡大することができる。
【００４１】
本発明の請求項２３に記載の発明は、ＩＣおよびメモリおよびこれらの制御回路を有する無線通信媒体を挿入可能な挿入部を有する筐体と、筐体内部であって、挿入された無線通信媒体の周囲を囲む開口部を有する導体から形成されたループアンテナを有することを特徴とする電子機器であって、電子機器内部に挿入された無線通信媒体と外部の非接触リーダーなどの読み書き部との通信距離を拡大することができる。
【００４２】
本発明の請求項２４に記載の発明は、開口部が、無線通信媒体の主面よりも面積が広いことを特徴とする請求項２２乃至２３のいずれかに記載の電子機器であって、通信距離の拡大をより効率的に行うことができる。
【００４３】
本発明の請求項２５に記載の発明は、開口部が形成する面が、無線通信媒体の主面と略平行であることを特徴とする請求項２２〜２４いずれか１記載の電子機器であって、通信距離の拡大をより効率的に行うことができる。
【００４４】
本発明の請求項２６に記載の発明は、ループアンテナが、信号電流を非給電とした無給電ループアンテナであることを特徴とする請求項２２〜２５いずれか１記載の電子機器であって、消費電力の削減を行うことができる。
【００４５】
本発明の請求項２７に記載の発明は、ループアンテナに共振回路、もしくは整合回路、もしくは終端抵抗のいずれか、あるいはこれらの２つ、あるいはすべてが接続されていることを特徴とする請求項２２〜２６いずれか１記載の電子機器であって、所望の周波数に共振、所望のアンテナ及び回路インピーダンスに整合、あるは所望の負荷インピーダンスに整合することにより、無線通信媒体と読み書き部との通信における通信性能を向上させることができる。
【００４６】
本発明の請求項２８に記載の発明は、挿入部が、筐体の側面に設けられることを特徴とする請求項２１〜２７いずれか１記載の電子機器であって、薄型の電子機器を実現することができる。
【００４７】
本発明の請求項２９に記載の発明は、電子機器が携帯端末であることを特徴とする請求項２１〜２８いずれか１記載の電子機器であって、携帯端末に無線通信媒体を格納させて、ＩＤコード認識などに応用することができる。
【００４８】
本発明の請求項３０に記載の発明は、電子機器がノートブックパソコンであることを特徴とする請求項２１〜２８いずれか１記載の電子機器であって、ノートブックパソコンに無線通信媒体を格納させて、ＩＤコード認識などに応用することができる。
【００４９】
本発明の請求項３１に記載の発明は、請求項１〜１９いずれか１記載の挿入型無線通信媒体装置を挿入可能な挿入部と、挿入部を有し、挿入型無線通信媒体装置を格納可能な筐
体と、筐体に設けられた表示部と入力装置を有するマンマシンインターフェースと、筐体内部に設けられた送受信処理部と、筐体内部に設けられ、送受信処理部を制御する制御部を有することを特徴とする携帯端末であって、挿入型無線通信媒体装置が挿入された場合に、外部の読み書き部との通信が可能となって、ＩＤ認証などによるセキュリティを有した携帯端末などや自動入出管理に応用できる携帯端末などが実現できる。
【００５０】
本発明の請求項３２に記載の発明は、無線通信媒体を挿入可能な挿入部と、挿入される無線通信媒体の周囲を囲む開口部を有する導体で形成されたループアンテナと、挿入部と、ループアンテナを有する筐体と、筐体に設けられた表示部と入力装置を有するマンマシンインターフェースと、筐体内部に設けられた送受信処理部と、筐体内部に設けられ、送受信処理部を制御する制御部を有することを特徴とする携帯端末であって、挿入型無線通信媒体装置が挿入された場合に、外部の読み書き部との通信が可能となって、ＩＤ認証などによるセキュリティを有した携帯端末などや自動入出管理に応用できる携帯端末などが実現できる。
【００５１】
以下、本発明の実施の形態について図面を用いて説明する。
【００５２】
なお、本発明における無線通信媒体とは、例えば、非接触ＩＣカード、ＩＣタグ、ＩＤタグ、識別ラベル、ＲＦ−ＩＤタグ等の非接触で処理装置との通信を行うことができる媒体であり、その処理装置とは、これら無線通信媒体と通信を行う装置であり、いわゆる、リーダー、リーダーライター、読取／書込装置のことを示す。
【００５３】
（実施の形態１）
まず、実施の形態１について図１〜図１１を用いて説明する。
【００５４】
図１、図２は、本発明の実施の形態１における無線通信媒体の斜視図、図３、図５、図６は本発明の実施の形態１における無線通信媒体の側面図、図４、図７は本発明の実施の形態１における無線通信媒体の構成図、図８、図９、図１０、図１１は本発明の実施の形態１における挿入型無線通信媒体装置の構成図である。
【００５５】
１は挿入型無線通信媒体装置、２は内部空間、３は無線通信媒体、４はケース、５は支持部材、６は底面、７は無線通信媒体アンテナ、８はＩＣ、８ｂはメモリ、１０は補強部材、１１は制御回路、１１ｂはコネクタ、１１ｃは信号線、１２はループアンテナ、１３は共振回路、１４は整合回路、１５は終端抵抗、１６は格納ケースである。
【００５６】
最初に、各部の詳細について説明し、その後本発明の挿入型無線通信媒体装置の動作と特徴について説明する。
【００５７】
挿入型無線通信媒体装置１は、例えばＩＣカード、ＩＣタグ、ＩＤカード、ＩＤタグなど、電子機器、とりわけ薄型、小型が要求される電子機器に挿入されて、外部の非接触リーダーなどの読み書き部との通信により、ＩＤ認証などが行われる装置である。
【００５８】
対象となる電子機器は、携帯電話、携帯端末、ノートブックパソコン、ＦＡＸ、電話、ＰＤＡ、携帯型テレビ、カーナビゲーションなど様々であり、挿入が容易なように、薄型であったり、小型であったりするものが多いことが考えられる。また、挿入との用語が用いられているが、スリットのような挿入部から挿入されるだけではなく、通常の取り出し口から出し入れが可能なものであっても良く、挿入は、格納、収納など、広い意味で内部空間に外部から収納、取り出しされることを意味している。
【００５９】
次に内部空間２について説明する。
【００６０】
内部空間は、無線通信媒体３を、電子機器に挿入しやすい形状、大きさにするために、あるいは、耐久性や強度を確保するために、ケース４に格納する場合に生じる内部空間である。強度確保や耐湿性を向上させるために、樹脂などが充填されていても良い。
【００６１】
なお、無線通信媒体３はケース４に格納されず、ベアの状態でも良く、樹脂などによるモールドされてもよいものである。
【００６２】
次に無線通信媒体３について説明する。
【００６３】
無線通信媒体は、図４に表されるように、その内部に主にループ形状となっている無線通信媒体アンテナ７と、ＩＣ８と、メモリ８ｂを含んで、周囲を樹脂などの筐体で覆われたものである。無線通信媒体３は、直接の給電を受けずに、例えば非接触カードリーダー／ライターなどの読み書き部の有するアンテナから生じる磁界を受けて、その無線通信媒体アンテナ７において誘導起電力が発生し、これに基づいて、ＩＣ８に記憶されているデータを、無線通信媒体アンテナ７を通じて出力するものである。これにより、無線通信媒体３は、直接の給電をされることなく、更に、非接触の状態で内部に記憶されているＩＤコードなどを出力して、認識させることができるものである。このときには、無線通信媒体３内部において、スイッチなどが設けられ、このスイッチのＯＮ、ＯＦＦなどの切り替えなどにより、信号の出力が行われ、外部の読み書き部との相互インダクタンスにより、信号が伝達されることになる。このため、いわゆる変調方式としては振幅を利用したＡＳＫや、周波数を利用したＦＳＫなどが用いられることが多いが、これら以外であっても、位相を用いたＰＳＫや、その他の二次変調も用いられてもよい。
【００６４】
また、ＩＤコードなどの情報はメモリ８ｂに格納されても良く、メモリ８ｂはＩＣ８と一体で形成されているものであってもよいものである。
【００６５】
更に、無線通信媒体３は、無線通信媒体アンテナ７を有するものではなく、ＩＣ８、もしくはメモリ８ｂのみで構成されていても良く、誘導起電力としての無線通信媒体アンテナ７については、後で述べる筐体内部に設けられているループアンテナ１２と兼用されてもよいものである。この場合には、ＩＣ８などで構成される無線通信媒体３が挿入された場合に、ＩＣ８などとループアンテナ１２とが、電気的接続されるように形成されることが好適である。
【００６６】
なお、無線通信媒体３には、ＩＤコードが記憶されているだけでなく、これ以外の情報（例えば、ユーザー情報など）も記憶されていてもよく、ＩＤコードなどは、事後的に書き換えられても良く、固定されていても良く、必要に応じて適宜決められてよいものである。
【００６７】
また、無線通信媒体３としては、ＩＣカード、ＩＤカード、ＩＣタグ、ＩＤタグなどが用いられるが、これ以外のものであっても良い。
【００６８】
なお、無線通信媒体３は、図１などに記載のようにそのままの状態でもよく、図２に示されるように、ケース４に格納されてもよいものである。
【００６９】
また、無線通信媒体３は、薄型の形状などにより、電子機器２０に容易に挿入が可能となるものであることが好ましいが、必要に応じて、他の形状を有するものであってもよいものである。
【００７０】
次にケース４について説明する。
【００７１】
ケース４は、無線通信媒体３を格納するケースであり、樹脂やセラミックなどで形成される。また、形状は用途に応じて決定されれば良く、方形、長方形、正方形、楕円形、円形、三角形、多角形などの板状の物でも良く、角柱、円柱などの柱状の者であっても良い。また、角部に面取りが施されることで、耐久性が向上し、使用するユーザーへのフレンドリーさが向上するメリットもある。
【００７２】
また、ケース４の形状、面積、厚みなどは、挿入して使用される電子機器２０の規格により定まる場合が多く、一般的に規格化されている場合には、これに適合した形状、面積などを有していることが好ましい。このため、種々の規格が多数ある場合には、それぞれに適合した形状、面積のケース４をあらかじめ用意しておき、種々のバリエーションに対応することも好適である。
【００７３】
ケース４に格納されることで、無線通信媒体３の耐久性、耐衝撃性などが向上するメリットがある。
【００７４】
なお、ケース４を用いる場合には、ケース４内部に複数の無線通信媒体３を格納したり、無線通信媒体３以外に記憶素子や記憶媒体などを格納したり、後に説明する無線通信媒体３の内部データ書き換え用制御回路を格納したり、故障検出器やＬＥＤ発行素子などを格納したりすることも好適である。
【００７５】
なお、図１、図２などでは表されていないが、挿入型無線通信媒体装置１が電子機器などに挿入されることで、内部空間２と電子機器内部との回路の電気的通信が可能となるように、ケース４には、電極や電気端子が形成されており、ケース内部では、内部空間２の有する電気端子（図示せず）などと接続などがされていることが好ましい。
【００７６】
次に、支持部材５について説明する。
【００７７】
支持部材５は、無線通信媒体３の底面、もしくはケース４の底面、もしくはこれらと対向する面に設けられる。即ち、結果的に無線通信媒体３の主面と対向する面に形成される。
【００７８】
支持部材５により、無線通信媒体３や、これを格納するケース４の耐久性や折り曲げ性などに対する強度が強化されるものである。
【００７９】
次に補強部材１０について説明する。
【００８０】
補強部材１０は、支持部材５を更に強力に補強するために用いられる。
【００８１】
なお、支持部材５、および補強部材１０は、必要に応じて設けられれば良く、耐久性や耐候性を向上させる必要性の度合いに応じて用いられることが選択されればよいものである。
【００８２】
なお、支持部材５、あるいは補強部材１０の代わりに、あるいはこれらとあわせて、無線通信媒体３もしくはケース４の底面、もしくはこれと対向する面の少なくとも一方の面に磁性部材、もしくは金属部材、もしくはこれらの両方が形成されてもよいものである。
【００８３】
磁性部材は、フェライトなどの磁性体を有する材料などから形成され、これ以外の材料が用いられた磁性体物質からなる板状のもの、あるいはシート状のもののいずれであってもよく、これら以外であっても良く、ペースト状の磁性体膜が張られたものであっても良
い。
【００８４】
磁性部材は、無線通信媒体３やケース４の底面などの全面に渡って形成されても良く、少なくとも無線通信媒体３と対向する面において形成されることが好ましい。これは後で述べるように、磁性部材により、磁界の迂回路が形成され、挿入された電子機器内外の金属面等の影響を低減し磁界が電子機器表面金属面の反対側の開口面に及ぶようにするためである。
【００８５】
磁性部材の存在により、磁性部材において磁界の閉回路が形成され、磁界が電子機器表面金属面の反対側の開口面に放射されることになる。無線通信媒体アンテナ７の下に磁性部材を配置したことにより磁束密度が密な部分が無線通信媒体アンテナ７の下の磁性部材に集中し、効率的に磁束のループ（閉回路）を作ることができる。磁束密度が集中している所で金属板と触れることが無く磁束密度が疎の所で金属板を磁束が通過するため、渦電流の発生も少なくなりそれによる損失も低減できる。その結果として無線通信媒体３との通信が可能となるものである。
【００８６】
また、このとき磁性部材は強度や耐久性を確保するために、角部に面取りを施され、あるいは円形や楕円形などとすることも好適である。また、その厚みが厚いことで、より多くの磁束が通過する事が出来、結果として外部への磁界の放射をより強くすることができるので、挿入型無線通信媒体装置１の厚みの限界などに合わせて、厚くしておくことも好適である。
【００８７】
また、金属部材は、磁性部材の外側に形成されことで、無線通信媒体３が格納されたケース４が電子機器の外にある場合と、電子機器の内部に挿入された場合のいずれにおいても無線通信媒体３が有する無線通信媒体アンテナ７へのインピーダンス変化や周波数ズレの影響を大幅に低減する事により、挿入された無線通信媒体３と外部の読み書き部との通信距離を更に拡大することが可能となる。金属部材は、金属板でも良く、金属シートでも良く、金属膜でも良く、ペースト状のものが塗布されたものでも良い。無線通信媒体３の外装材の一部であって、少なくとも磁性部材５の外側をあらかじめ金属で形成する、あるいはケース４を構成する一部をあらかじめ金属としておくことで実現されても良い。また、金属部材の材料としては、銅、鉄、金、銀、白金、アルミ、あるいはこれらの合金などから形成され、単層でも良く多層でも良い。あるいは、磁性部材５の外側にめっき層などを形成して実現されても良い。また、磁性部材５との間に空隙が設けられてもよいものである。
【００８８】
また、このように金属部材が磁性部材の外側に設けられることで、磁性部材５だけの場合よりも無線通信媒体３が有する無線通信媒体アンテナ７に対して、この近傍の金属面あるいは金属性部品等の影響をさらに低減する事が可能となり、通信距離が更に伸びる効果がある。
【００８９】
次に制御回路１１について説明する。
【００９０】
制御回路１１は図７に現されている。
【００９１】
制御回路１１は、電子機器に挿入された無線通信媒体３に対して、本体となる電子機器により、例えば無線通信媒体３内部のメモリの内容などを書き換えたり、種々の制御を行ったりする場合に用いられる。
【００９２】
例えば、無線通信媒体３のＩＣ８やメモリ８ｂに記憶されているＩＤコードを、事後的に変更したい場合などに、データアクセス処理によって変更することが可能となる。電子
機器や、専用の機器に挿入されている場合に、内部空間２に記憶されているデータを、無線通信媒体３に書き込み実行することで、無線通信媒体３のＩＤコードを変更したり、新たなデータを記憶させたりすることで、フレキシビリティの高い挿入型無線通信媒体装置とすることが可能となるものである。
【００９３】
あるいは、通常の無線通信媒体３に電力を挿入された電子機器内部で与えて、読み書き部からの磁界を受けることでの誘導起電力で動作するノンアクティブ方式の無線通信媒体３ではなく、自ら電磁波を放射するアクティブ型の無線通信媒体３となって、非常に通信の厳しい環境化でも通信を可能とするなども好適である。
【００９４】
このような場合には、ユーザーフレンドリーの高い装置が実現されるため、種々のアプリケーションへの適用が容易に行えるものである。
【００９５】
例えば、挿入型無線通信媒体装置１を挿入した携帯電話などを、コンサートや公共機関の入場券として使う場合などに、無線通信媒体３の記憶内容の書き換えが可能であることで、非常に幅広い使用態様が実現される。
【００９６】
なお、図７では制御回路１１がケース４内部に格納されているが、ケース４の外にあってもよく、あるいは、ケース４が用いられない無線通信媒体３が挿入された場合に、挿入された無線通信媒体３の外部であって、電子機器内部に配置されていても良い。挿入されることで、電気的に接続される構造になっていればよいものである。
【００９７】
また、電子機器側に、書き換え処理のための回路やソフトウェアがあってもよいものである。
【００９８】
次にループアンテナ１２について図８〜図１１を用いて説明する。
【００９９】
図８、図９には、ループアンテナ１２が無線通信媒体３の周囲に形成されている状態が表されており、図１０には、無線通信媒体３が格納されたケース４の周囲にループアンテナ１２が形成されている状態が表されており、図１１にはループアンテナ１２を含めて格納ケース１６に格納されている状態が表されている。
【０１００】
ループアンテナ１２は、導体から形成され、開口部を有しているアンテナであり、無線通信媒体３もしくは、ケース４の周囲を囲むように形成されている。ループアンテナ１２を形成する導体は、種々の金属などの導体であれば良く、例えば、金、銀、銅、アルミ、真鍮、あるいはこれらの合金などの材料から形成される。
【０１０１】
また、ループアンテナ１２は信号電流が非給電となっている無給電ループアンテナである。
【０１０２】
ここで、無給電であっても、ループアンテナ１２は外部の読み書き部からの磁界に対して生じる誘導電流が働くため、あたかも給電されているかのように働き、磁界を発生させるものである。
【０１０３】
ここで、このループアンテナ１２が存在することによって、無線通信媒体３を電子機器に挿入した場合に、従来は外部の読み書き部との通信距離が非常に短くて実用上、不十分であったのに対して、通信距離が拡大する特徴について説明する。
【０１０４】
ループアンテナ１２は、外部の読み書き部と内部の無線通信媒体３に含まれるアンテナとの間の中継となって、大きな誘導起電力を発生させて、磁界の範囲を拡張するものであ
る。即ち、外部の読み書き部のアンテナから発生する磁界は、一旦挿入型無線通信媒体１に形成されているループアンテナ１２に対して誘導起電力を発生させる。ついで、このループアンテナ１２で発生した誘導起電力に従って生じる磁界が、無線通信媒体３内部の無線通信媒体アンテナ７に対しておよび、誘導起電力を発生させて、無線通信媒体３を動作させて、読み書きなどの通信が可能となるものである。このとき、無線通信媒体３がＩＣ８やメモリ８ｂのみなどから構成される場合には、このループアンテナ１２が外部の読み書き部との誘導起電力および、相互インダクタンスの結合の基点となるものであり、外部の読み書き部との無線通信を可能とするものにもなる。
【０１０５】
また、このループアンテナ１２周辺に強い磁界が生じるため、挿入型記憶媒体装置内部１にある無線通信媒体アンテナ７へ強い磁界を与えることが可能となる、同様に、逆方向、即ち、内部の無線通信媒体アンテナ７の負荷の変動を更に強くして外部の非接触リーダーとの通信距離を容易に伸ばすことが可能となり、実用上のメリットが非常に高いものである。
【０１０６】
以上のように、無線通信媒体３の周囲を囲む開口部を有する導体から形成されるループアンテナ１２により、無線通信媒体３と外部の読み書き部との通信距離が拡大されるものである。
【０１０７】
ループアンテナ１２はケースの周囲を囲むように形成されれば良いが、ケース４の面と、ループアンテナ１２の作る開口部の面が略同一面上に無くても良く、近傍であれば十分であり、また、それぞれの一部が重なっていてもよいものである。
【０１０８】
また、開口部はケース４よりもその面積が大きいことが好ましく、更には、ケース４内部に格納されている無線通信媒体３よりもその面積が大きいことが好ましい。これにより、更にこのループアンテナ１２の周辺に強い磁界を生じ、挿入型記憶媒体装置内部にある無線通信媒体アンテナ７へ強い磁界を与えることが可能となり、読み書き部との通信距離が更に伸びるものである。
【０１０９】
また、ループアンテナ１２の開口部と無線通信媒体３、特に、無線通信媒体３内部に含まれるアンテナとの開口面が略平行になることが好ましい。これにより、更に磁界強度が上がって、無線通信媒体との通信距離が伸びる結果になるからである。
【０１１０】
なお、ループアンテナ１２は図８のように無線通信媒体３と別体で形成されてもよく、この場合にはまったく別でもよいし、あるいは、ねじなどでの接続部により接続されれば良い。
【０１１１】
あるいは、図１１に示されるように全体を格納する格納ケース１６に一緒に格納されて一体化されても良く、この場合には、全体の格納ケース１６全体をもって、電子機器の挿入部などに挿入される挿入型無線通信媒体装置となる。この場合にはやや大型となるが、通信距離を拡大するループアンテナ１２があらかじめ格納された挿入型無線通信媒体装置１とすることができるメリットがある。
【０１１２】
次に、共振回路１３、整合回路１４、終端抵抗１５について説明する。
【０１１３】
これらはいずれも、ループアンテナ１２に接続されたものであり、それぞれループアンテナ１２での通信時の性能を向上させるためのものである。
【０１１４】
共振回路１３は通信において行う任意の周波数において共振し、規格などで決定されている周波数において通信動作するように決定されるための回路である。容量製分やインダ
クタ成分などを適宜接続して決定される。またボリュームなどで、使用周波数の変更に対応できるようにすることも好適である。
【０１１５】
整合回路１４は、インピーダンス整合を取るための回路である。インピーダンス整合が取れていることで、余分な反射波が無くなり、ＶＳＷＲが向上して、通信性能を向上させることができる。抵抗成分、容量成分、インダクタ成分などを適宜用いて整合を取ることを可能とする。このとき、ボリューム回路などを用いて、事後的に整合を調整できるようにすることも好ましい。また、共振回路１３と共用できる部品を共用することも、必要に応じて行うことも好ましいものである。
【０１１６】
終端抵抗１５は、ループアンテナ１２での整合のために終端となる抵抗であり、適宜、必要な抵抗成分が接続される。これらは特に、余分な反射波が無くなりループアンテナ１２であることからより効果的な構成要件である。
【０１１７】
以上のように、ＩＣカード、ＩＣタグをはじめ、近年１ｍｍ角以下で構成される無線通信媒体３などを、電子機器内部に挿入、あるいは搭載する場合であっても、無線通信媒体３の周囲を囲むループアンテナ１２を形成した挿入型無線通信媒体装置として挿入することで、電子機器や電子部品、筐体などの影響を排除して、十分な通信距離をもって、外部の読み書き部との通信を可能とするものである。
【０１１８】
また、挿入型無線通信媒体装置１は、携帯端末、デジタルカメラ、デジタルビデオ、テレビ、ビデオ、ＤＶＤ、パソコンなどの、様々な電子機器に挿入、取り出しされる。更に、その簡易な取り扱いや出し入れの容易性、軽量性、持ち運び性などのよさから、移動や持ち運び、取り扱いが容易である。
【０１１９】
次に、このようなメリットから生じる応用される態様に関して説明する。
【０１２０】
以上の動作を有することから、それぞれの電子機器に挿入されることで、種々の電子機器を必要に応じて、ＩＤコードを有した電子機器にすることが可能となる。更に、内部に挿入された無線通信媒体３と外部の読み書き部との通信が可能となって、ＩＤコードの認証などが可能となる電子機器を簡単に実現できる。
【０１２１】
このため、電子機器の使用の仕方として非常に幅広い使い方が可能となって、様々なシステムやビジネスシーンで有用に使うことのできる電子機器とすることができ、携帯端末を使った入出管理や、入場管理、セキュリティシステムの構築、ネットワークやファイルシステムへのアクセス制限、あるいは書類やメディアの管理や自動の棚卸システムなどへ、様々に拡張することが簡単となる。しかも、現存する電子機器を特に改良することなく用いて実現できるため、普及へのコストなども非常に低いものである。
【０１２２】
（実施の形態２）
実施の形態２においては、無線通信媒体１が挿入される電子機器に、あらかじめループアンテナ１２が形成されている場合について説明する。
【０１２３】
ループアンテナ１２により、挿入されている無線通信媒体３と外部の読み書き部との通信距離が更に伸びることについては説明したが、無線通信媒体３にあらかじめループアンテナ１２を形成することでの強度問題や、挿入されるケースの大型化、即ち挿入型無線通信媒体装置１の大型化につながる場合もあるため、あらかじめループアンテナ１２を電子機器内部に形成しておくことも、所望に応じてメリットのある手法である。
【０１２４】
図１２、図１３、図１４、図１５は本発明の実施の形態２における電子機器の構成図で
ある。
【０１２５】
２０は電子機器、２１は格納部、２２は筐体、２３は挿入部、２５は表示部、２６は入力装置、３０は携帯端末である。
【０１２６】
図１４、図１５に表される表示部２５、入力装置２６はあわせて、マンマシンインターフェースとなっている。
【０１２７】
なお、無線通信媒体３は、実施の形態１で説明したように、無線通信媒体３の主面となる底面やその対向面に支持部材５や補強部材１０、あるいは磁性部材や金属部材を適宜設けられたものであってもよいものである。
【０１２８】
図１２には、携帯端末３０やその他の電子機器２０の側面に設けられた挿入部２３から、無線通信媒体３が挿入され、筐体２２内部にあらかじめループアンテナ１２が設けられて、このループアンテナ１２の開口部内部に、あるいはその近傍に無線通信媒体３が装着されるように構成された電子機器２０があらわされている。
【０１２９】
図１３には、図１０のようなスリット状の挿入部２３ではなくて、ドアのように開閉可能な挿入部２３を通じて、無線通信媒体３が収納される場合の電子機器２０が示されている。
【０１３０】
図１４には、電子機器２０が携帯端末の場合であって、正面から見た状態が表されており、図１５には、電子機器２０が同様に携帯端末であって、斜めからみた状態が表されている。
【０１３１】
なお、電子機器２０は図１４、図１５に表されるように携帯電話、携帯端末のみならず、ノートブックパソコン、デジタルカメラ、デジタルビデオ、ＡＶ機器、テレビ、パソコン、白物家電など、様々なものであってよいものである。
【０１３２】
ここで、実施の形態２では、あらかじめ電子機器２０や携帯端末３０などの内部にループアンテナ１２が形成されており、実装されている。この、ループアンテナ１２には、実施の形態１で説明したように、共振回路１３、整合回路１４、終端抵抗１５などが、必要に応じて接続されており、通信性能を向上させることも好適である。
【０１３３】
このように、ループアンテナ１２が最初から電子機器２０内部に形成されることで、例えば、ループアンテナ１２も含んだ挿入型無線通信媒体装置１を大型化させることが無くなりながら、実施の形態１で説明したのと同様の通信距離の拡大という同様の効果を得ることが可能となるメリットがある。更に、ループアンテナ１２を損傷させることも防止できるものである。
【０１３４】
また、ループアンテナ１２を、個々の挿入型無線通信媒体装置１に装着することでのコスト増加を回避する点もあるものである。即ち、非常に多くの個数で流通する可能性のあるＩＣカードやＩＣタグなどの無線通信媒体３については、ループアンテナ１２を格納せずにコストを下げて流通させて、外部の読み書き部との通信距離を拡大するためのループアンテナは、流通量の少ない電子機器にあらかじめ入れておくことで、トータルコストを下げて、同様の効果を得ることが可能とすることも好適である。
【０１３５】
ループアンテナ１２は、あらかじめ無線通信媒体３が挿入され、これを囲むような位置に配置されていることが好ましく、電子機器２０のメインの実装基板にパターンで形成されたり、その他の導体で形成されたりしてもよいものである。
【０１３６】
また、無線通信媒体３と略平行の開口部となるようにしておくことも好適であり、その開口部の面積が、無線通信媒体３に含まれるアンテナよりも大きいことも好適である。このとき、電子機器２０の有する挿入部２３（図１２のような側面に設けられたスリット状のものであったり、図１３に示されるように開閉式のものであったりする）から挿入されることで、結果的に無線通信媒体３の周囲にループアンテナ１２が配置されるようになる。
【０１３７】
これにより、ループアンテナ１２の中継効果により、挿入された無線通信媒体３と、外部の読み書き部との通信距離が拡大されるものである。
【０１３８】
以上のように、あらかじめ電子機器２０の中にループアンテナ１２が設けられていることで、外部の読み書き部との通信距離を拡大することができる上、挿入される挿入型無線通信媒体装置１を、ＩＣカードやＩＣタグなどの規格で定められた形状、大きさ、厚みとして使用することができ、低コストにすることができるメリットがある。また、電子機器側でも、規格どおりの設計ですむため、余分な改造や新たな設計工程が不要となるメリットがあり、コストメリット、普及が容易であるメリットなどがある。
【０１３９】
また、図１４、図１５などに表される携帯電話や携帯端末などでは、メモリなどのスロット用の挿入口が設けられていることが多いため、これらと同様に無線通信媒体３を挿入する挿入部２３を設けることは比較的容易である。
【０１４０】
あるいは、メモリなどを挿入する挿入口を流用することなども考慮される。
【０１４１】
以上のように、実施の形態２で説明される電子機器は、あらかじめループアンテナ１２が設置された（しかもループアンテナ１２は基板パターンや非常に薄くて細い導体で作ることが可能なため、電子機器２０の薄型化や小型化に影響を与えにくい）部位に設けられた挿入部２３が形成される。更に、この挿入部２３から磁性部材５若しくはこれに加えて金属部材１０が設けられて磁界の迂回路が作られた無線通信媒体３が挿入されて、ループアンテナ１２に囲まれた無線通信媒体３が、電子機器内部に存在する状態が作られる。これにより、十分な通信距離を有する、外部の読み書き部との通進が可能となる無線通信媒体３を含んだ電子機器２０が実現されることになる。
【０１４２】
これらにより、種々の電子機器にＩＤコードを割り当てることが可能となり、機器認証、所有者認証などによる電子機器の使用権限のセキュリティが実現されたり、携帯端末などが、そのまま入出門管理などに用いられたり、自動棚卸や在庫確認などに用いられたりすることが可能となる。非常に応用分野の広いアプリケーションとなりうる。
【０１４３】
特に、図１４、図１５に表されるように、携帯端末などに応用した場合、マンマシンインターフェースを構成する入力装置２６を通じて、ＩＤ認証に必要な処理、あるいはＩＤ認証された後の処理を命令することができ、表示部２５を通じて、ＩＤ認証結果などを、ユーザーが容易に視認することができるなどのメリットがある。
【０１４４】
なお、図１４、図１５などには図示されていないが、必要に応じて、電子機器２０や携帯端末３０には、無線通信での処理を行う送受信処理部、音声や画像などのデータを処理するデータ処理部、および、制御部などが、必要に応じて電子回路、ＩＣ、ＬＳＩ、ソフトウェアなどの形態で含まれてもよいものである。
【０１４５】
以上により、ＩＣカードやＩＣタグなど、その形状や大きさなどを含めて規格化されて普及している無線通信媒体３を電子機器２０内部に挿入した場合でも、電子機器２０や内
部の電子部品、あるいは筐体２２の影響を排除して、外部の非接触リーダーなどの読み書き部との通信によるＩＤ認証などが可能となり、携帯端末３０などそのものを、入出門のキーとして使用したり、入場チケットの代わりとしたり、あるいはセキュリティ管理そのものに使用すること等が可能となって、無線通信媒体３を用いたアプリケーションの幅や使用形態が、更に広がるものである。
【産業上の利用可能性】
【０１４６】
本発明は、無線通信媒体と、無線通信媒体の周囲に設けられた開口部を有する導体から形成されたループアンテナを有する構成により、ＩＤコードなどを有した無線通信媒体を携帯端末などの電子機器に挿入した場合に、外部の非接触リーダーなどの読み書き部と、無線通信媒体との間での通信距離を拡大させることが必要となる挿入型無線通信媒体装置などの用途にも適用できる。
【図面の簡単な説明】
【０１４７】
【図１】本発明の実施の形態１における無線通信媒体の斜視図
【図２】本発明の実施の形態１における無線通信媒体の斜視図
【図３】本発明の実施の形態１における無線通信媒体の側面図
【図４】本発明の実施の形態１における無線通信媒体の構成図
【図５】本発明の実施の形態１における無線通信媒体の側面図
【図６】本発明の実施の形態１における無線通信媒体の側面図
【図７】本発明の実施の形態１における無線通信媒体の構成図
【図８】本発明の実施の形態１における挿入型無線通信媒体装置の構成図
【図９】本発明の実施の形態１における挿入型無線通信媒体装置の構成図
【図１０】本発明の実施の形態１における挿入型無線通信媒体装置の構成図
【図１１】本発明の実施の形態１における挿入型無線通信媒体装置の構成図
【図１２】本発明の実施の形態２における電子機器の構成図
【図１３】本発明の実施の形態２における電子機器の構成図
【図１４】本発明の実施の形態２における電子機器の構成図
【図１５】本発明の実施の形態２における電子機器の構成図
【符号の説明】
【０１４８】
１    挿入型無線通信媒体装置
２    内部空間
３    無線通信媒体
４    ケース
５    支持部材
６    底面
７    無線通信媒体アンテナ
８    ＩＣ
８ｂ    メモリ
９    無線通信媒体筐体
１０    補強部材
１１    制御回路
１２    ループアンテナ
１３    共振回路
１４    整合回路
１５    終端抵抗
１６    格納ケース
２０    電子機器
２１    格納部
２２    筐体
２３    挿入部
２５    表示部
２６    入力装置
３０    携帯端末
【図１】
2005284511.tif 000003
【図２】
2005284511.tif 000004
【図３】
2005284511.tif 000005
【図４】
2005284511.tif 000006
【図５】
2005284511.tif 000007
【図６】
2005284511.tif 000008
【図７】
2005284511.tif 000009
【図８】
2005284511.tif 000010
【図９】
2005284511.tif 000011
【図１０】
2005284511.tif 000012
【図１１】
2005284511.tif 000013
【図１２】
2005284511.tif 000014
【図１３】
2005284511.tif 000015
【図１４】
2005284511.tif 000016
【図１５】
2005284511.tif 000017